(57)【要約】【課題】脳波の測定時間の短縮を図ることができる脳波解析システム、視認性評価システム、脳波解析方法、及びプログラムを提供する。【解決手段】脳波データ取得部２０４は、被験者１００の頭部における複数の計測部位それぞれにおいて被験者１００の脳波を複数回計測した複数の計測データを、複数の計測部位ごとに加算平均した複数の一次脳波データを取得する。相関算出部２０５は、特定部位に対応する特定一次脳波データと、複数の他部位に対応する複数の他一次脳波データそれぞれとの相互相関関数を算出する。選択部２０６は、相互相関関数に基づいて、複数の他一次脳波データから選択一次脳波データを選択する。脳波データ算出部２０９は、特定一次脳波データと、選択一次脳波データとを加算平均することによって二次脳波データを算出する。【選択図】図１
2020032116.tif 000002
【特許請求の範囲】
【請求項１】
被験者の頭部における特定部位と複数の他部位とを含む複数の計測部位それぞれにおいて前記被験者の脳波を複数回計測した複数の計測データを、前記複数の計測部位ごとに加算平均した複数の一次脳波データを取得する脳波データ取得部と、
前記複数の一次脳波データのうち、前記特定部位に対応する特定一次脳波データと、前記複数の他部位に対応する複数の他一次脳波データそれぞれとの相互相関関数を算出する相関算出部と、
前記相互相関関数に基づいて、前記複数の他一次脳波データから少なくとも１つの他一次脳波データを選択一次脳波データとして選択する選択部と、
前記特定一次脳波データと、前記選択一次脳波データとを加算平均することによって二次脳波データを算出する脳波データ算出部と、
前記二次脳波データを含む脳波情報を出力する出力部と、を備える、
脳波解析システム。
【請求項２】
前記複数の計測部位と一対一に対応する複数の脳波信号を取得する脳波信号取得部と、
前記被験者に対する複数回の刺激提示のタイミングの情報を取得するタイミング情報取得部と、
前記複数の一次脳波データを算出して、前記脳波データ取得部に出力する処理部と、を更に備え、
前記複数回の刺激提示と、前記被験者の脳波の複数回の計測と、が一対一に対応しており、
前記処理部は、前記複数回の刺激提示のタイミングの情報に基づいて前記複数の脳波信号それぞれから前記複数の計測データを抽出し、前記複数の計測部位ごとに抽出した前記複数の計測データを加算平均することにより前記複数の一次脳波データを算出する、
請求項１に記載の脳波解析システム。
【請求項３】
前記選択部は、前記複数の他一次脳波データのうち、対応する前記相互相関関数の極大値が閾値以上の他一次脳波データを前記選択一次脳波データとして選択する、
請求項１又は２に記載の脳波解析システム。
【請求項４】
前記選択部は、前記複数の他一次脳波データのうち、対応する前記相互相関関数の位相ずれが閾値未満の他一次脳波データを前記選択一次脳波データとして選択する、
請求項１〜３のいずれか１項に記載の脳波解析システム。
【請求項５】
前記選択一次脳波データに対応する前記相互相関関数の位相ずれに基づいて、前記選択一次脳波データの位相を補正する位相補正部を更に備え、
前記脳波データ算出部は、前記特定一次脳波データと、前記位相補正部による位相補正後の前記選択一次脳波データとを加算平均することによって前記二次脳波データを算出する、
請求項１〜４のいずれか１項に記載の脳波解析システム。
【請求項６】
前記選択一次脳波データに対応する前記相互相関関数の極大値に基づいて、前記選択一次脳波データのレベルを補正するレベル補正部を更に備え、
前記脳波データ算出部は、前記特定一次脳波データと、前記レベル補正部によるレベル補正後の前記選択一次脳波データとを加算平均することによって前記二次脳波データを算出する、
請求項１〜５のいずれか１項に記載の脳波解析システム。
【請求項７】
前記脳波データ算出部で算出された前記二次脳波データから事象関連電位に関する特徴量を抽出する解析部を更に備え、
前記出力部から出力する前記脳波情報は、前記解析部で解析された前記特徴量の情報を含む、
請求項１〜６のいずれか１項に記載の脳波解析システム。
【請求項８】
請求項１〜７のいずれか１項に記載の脳波解析システムと、
前記脳波解析システムの前記出力部から出力された前記脳波情報に基づいて前記被験者の視認性を判定する判定部と、
前記判定部で判定された結果を出力する結果出力部と、を備える、
視認性評価システム。
【請求項９】
前記判定部は、前記脳波情報に基づく事象関連電位の潜時から前記被験者の視認性を判定する、
請求項８に記載の視認性評価システム。
【請求項１０】
被験者の頭部における特定部位と複数の他部位とを含む複数の計測部位それぞれにおいて前記被験者の脳波を複数回計測した複数の計測データを、前記複数の計測部位ごとに加算平均した複数の一次脳波データを取得する脳波データ取得ステップと、
前記複数の一次脳波データのうち、前記特定部位に対応する特定一次脳波データと、前記複数の他部位に対応する複数の他一次脳波データそれぞれとの相互相関関数を算出する相関算出ステップと、
前記相互相関関数に基づいて、前記複数の他一次脳波データから少なくとも１つの他一次脳波データを選択一次脳波データとして選択する選択ステップと、
前記特定一次脳波データと、前記選択一次脳波データとを加算平均することによって二次脳波データを算出する脳波データ算出ステップと、
前記二次脳波データを含む脳波情報を出力する出力ステップと、を含む、
脳波解析方法。
【請求項１１】
コンピュータシステムに、請求項１０に記載の脳波解析方法を実行させるためのプログラム。
【発明の詳細な説明】
【技術分野】
【０００１】
本開示は、一般に脳波解析システム、視認性評価システム、脳波解析方法、及びプログラムに関し、より詳細には、被験者の脳波を解析する脳波解析システム、視認性評価システム、脳波解析方法、及びプログラムに関する。
【背景技術】
【０００２】
従来、脳波を用いて運転者の注意状態を判別し、安全運転支援を行う運転注意量判別装置（脳波解析システム）が開示されている（例えば、特許文献１参照）。
【０００３】
特許文献１の運転注意量判別装置では、運転者の運転に対する注意量を脳波の事象関連電位を用いて判別している。特許文献１の運転注意量判別装置は、脳波計測部と、中心刺激呈示部と、周辺刺激呈示部と、閾値設定部と、注意量判別部と、を備えている。脳波計測部は、運転者の脳波信号を計測する。中心刺激呈示部は、運転者の中心視野に視覚刺激を呈示する。周辺刺激呈示部は、運転者の周辺視野に視覚刺激を呈示する。閾値設定部は、中心視野の刺激の呈示時点を起点とした脳波信号における事象関連電位の振幅の分布から注意量判別の判別閾値を設定する。注意量判別部は、周辺視野の刺激の呈示時点を起点とした脳波信号における事象関連電位の振幅と判別閾値との比較により注意量を判別する。
【先行技術文献】
【特許文献】
【０００４】
【特許文献１】特許第４７３３２４２号公報
【発明の概要】
【発明が解決しようとする課題】
【０００５】
特許文献１の運転注意量判別装置では、脳波信号における事象関連電位の特徴量を抽出するために、脳波データを加算平均してノイズ等を低減させている。そのため、運転者（被験者）に刺激を複数回呈示する必要があり、脳波の測定時間が長くなるおそれがあった。
【０００６】
本開示は、上記事由に鑑みてなされており、その目的は、脳波の測定時間の短縮を図ることができる脳波解析システム、視認性評価システム、脳波解析方法、及びプログラムを提供することにある。
【課題を解決するための手段】
【０００７】
本開示の一態様に係る脳波解析システムは、脳波データ取得部と、相関算出部と、選択部と、脳波データ算出部と、出力部と、を備えている。前記脳波データ取得部は、被験者の頭部における特定部位と複数の他部位とを含む複数の計測部位それぞれにおいて前記被験者の脳波を複数回計測した複数の計測データを、前記複数の計測部位ごとに加算平均した複数の一次脳波データを取得する。前記相関算出部は、前記複数の一次脳波データのうち、前記特定部位に対応する特定一次脳波データと、前記複数の他部位に対応する前記複数の他一次脳波データそれぞれとの相互相関関数を算出する。前記選択部は、前記相互相関関数に基づいて、前記複数の他一次脳波データから少なくとも１つの他一次脳波データを選択一次脳波データとして選択する。前記脳波データ算出部は、前記特定一次脳波データと、前記選択一次脳波データとを加算平均することによって二次脳波データを算出する。前記出力部は、前記二次脳波データを含む脳波情報を出力する。
【０００８】
本開示の一態様に係る視認性評価システムは、前記脳波解析システムと、判定部と、結果出力部と、を備えている。前記判定部は、前記脳波解析システムの前記出力部から出力された前記脳波情報に基づいて前記被験者の視認性を判定する。前記結果出力部は、前記判定部で判定された結果を出力する。
【０００９】
本開示の一態様に係る脳波解析方法は、脳波データ取得ステップと、相関算出ステップと、選択ステップと、脳波データ算出ステップと、出力ステップと、を含む。前記脳波データ取得ステップでは、複数の一次脳波データを取得する。前記複数の一次脳波データは、被験者の頭部における特定部位と複数の他部位とを含む複数の計測部位それぞれにおいて前記被験者の脳波を複数回計測した複数の計測データを、前記複数の計測部位ごとに加算平均したデータである。前記相関算出ステップでは、前記複数の一次脳波データのうち、前記特定部位に対応する特定一次脳波データと、前記複数の他部位に対応する複数の他一次脳波データそれぞれとの相互相関関数を算出する。前記選択ステップでは、前記相互相関関数に基づいて、前記複数の他一次脳波データから少なくとも１つの他一次脳波データを選択一次脳波データとして選択する。前記脳波データ算出ステップでは、前記特定一次脳波データと、前記選択一次脳波データとを加算平均することによって二次脳波データを算出する。前記出力ステップでは、前記二次脳波データを含む脳波情報を出力する。
【００１０】
本開示の一態様に係るプログラムは、コンピュータシステムに、前記脳波解析方法を実行させる。
【発明の効果】
【００１１】
本開示では、脳波の測定時間を短縮することができるという効果がある。
【図面の簡単な説明】
【００１２】
【図１】図１は、本開示の一実施形態に係る脳波解析システム、及び視認性評価システムのブロック図である。
【図２】図２は、同上の視認性評価システムの概念図である。
【図３】図３は、被験者の中心視野領域及び周辺視野領域の説明図である。
【図４】図４Ａは、刺激提示部が刺激提示状態にあるときの斜視図である。図４Ｂは、刺激提示部が刺激非提示状態にあるときの斜視図である。
【図５】図５Ａは、特定一次脳波データと、他一次脳波データと、の一例の波形図である。図５Ｂは、相互相関関数の波形図である。
【図６】図６は、位相補正前の他一次脳波データ、及び位相補正後の他一次脳波データの波形図である。
【図７】図７は、レベル補正前の他一次脳波データ、及びレベル補正後の他一次脳波データの波形図である。
【図８】図８は、同上の脳波解析システム及び同上の視認性評価システムの動作を説明するためのフローチャートである。
【発明を実施するための形態】
【００１３】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１４】
（実施形態）
（１）概要
図１に、本実施形態に係る脳波解析システム２０、及び脳波解析システム２０を備える視認性評価システム１のブロック図を示す。図２に、視認性評価システム１の概念図を示す。
【００１５】
本実施形態に係る視認性評価システム１は、例えば、自動車（移動体）の運転に関する、被験者１００の視認性の評価に用いられるシステムである。視認性評価システム１では、被験者１００に自動車の運転中の視環境を模擬した模擬視環境９０を見せて被験者１００の視認性を評価する。つまり、被験者１００に自動車（移動体）を実際に運転してもらうことなく、被験者１００の運転中の視認性を評価することができる。なお、評価環境は、上記の模擬視環境９０に限らず、被験者１００が実際に自動車を運転する環境であってもよい。
【００１６】
視認性評価システム１は、被験者１００の視環境に出現させる視対象３１に対する被験者１００の視認性を評価する。ここにおいて、「視環境」とは、被験者１００に被験者１００の視覚を通じて認識される環境である。視認性評価システム１は、被験者１００の視環境に発生する視対象３１を被験者１００に対する視覚刺激として利用し、被験者１００の視認性を評価する。具体的には、視認性評価システム１は、被験者１００の脳波を解析する脳波解析システム２０を備えており、被験者１００の脳波の事象関連電位（Event-Related Potential:ERP）を利用して視認性を評価する。「事象関連電位」とは、脳波の一部であり、外的な事象に時間的に関連して生じる脳の一過性の電位変動をいう。視認性評価システム１では、「事象関連電位」として、被験者１００の脳波において、外的な視覚刺激を認識した時点から約３００ミリ秒付近に出現する陽性成分（「Ｐ３００」と呼ばれている）を利用する。「陽性成分」とは、０μＶよりも大きい電位をいう。視認性評価システム１は、事象関連電位のＰ３００の潜時に基づいて、被験者１００の視認性を評価する。「潜時」とは、視覚刺激の提示が開始された時点を起点として、注目する事象関連電位の極大値又は極小値（ここでは極大値としてＰ３００）が出現するまでの時間である。被験者１００の視認性が高い場合、視認性が低い場合と比較して、被験者１００は視覚刺激の提示が開始されてから視覚刺激を認識するまでの時間が短くなるので、潜時が短くなる。したがって、視認性評価システム１は、潜時が短いほど視認性が高いと判定し、潜時が長いほど視認性が低いと判定する。
【００１７】
なお、評価環境は、上記の模擬視環境９０に限らず、被験者１００が実際に自動車を運転する環境であってもよい。この場合、例えば専用コースにおいて、所定のタイミングで被験者１００の視環境に視対象３１を出現させる。そして、視認性評価システム１は、視対象３１が出現した際の、被験者１００の脳波に基づいて被験者１００の視認性を評価する。なお、評価環境が実際に自動車を運転する環境であっても、被験者１００の運転操作は必須ではなく、例えば助手席に座った状態でもよい。
【００１８】
視認性評価システム１は、脳波解析システム２０を備えている。脳波解析システム２０は、脳波データ取得部２０４と、相関算出部２０５と、選択部２０６と、脳波データ算出部２０９と、出力部２１１と、を備えている。
【００１９】
脳波データ取得部２０４は、被験者１００の頭部における特定部位と複数の他部位とを含む複数の計測部位それぞれにおいて被験者１００の脳波を複数回計測した複数の計測データを、複数の計測部位ごとに加算平均した複数の一次脳波データを取得する。
【００２０】
相関算出部２０５は、複数の一次脳波データのうち、特定部位に対応する特定一次脳波データと、複数の他部位に対応する複数の他一次脳波データそれぞれとの相互相関関数を算出する。
【００２１】
選択部２０６は、相互相関関数に基づいて、複数の他一次脳波データから少なくとも１つの他一次脳波データを選択一次脳波データとして選択する。
【００２２】
脳波データ算出部２０９は、特定一次脳波データと、選択一次脳波データとを加算平均することによって二次脳波データを算出する。
【００２３】
出力部２１１は、二次脳波データを含む脳波情報を出力する。
【００２４】
本実施形態の脳波解析システム２０では、脳波の計測回数を削減し、脳波の計測時間の短縮を図ることができる。
【００２５】
また、視認性評価システム１は、脳波解析システム２０と、判定部２１と、結果出力部２３と、を備えている。
【００２６】
判定部２１は、脳波解析システム２０の出力部２１１から出力された脳波情報に基づいて被験者１００の視認性を判定する。
【００２７】
結果出力部２３は、判定部２１で判定された結果を出力する。
【００２８】
視認性評価システム１では、脳波解析システム２０における脳波の計測時間の短縮を図ることができるので、視認性の評価に要する時間の短縮を図ることができる。
【００２９】
（２）視認性評価システム及び脳波解析システムの全体構成
本実施形態に係る視認性評価システム１は、分析装置２と、刺激提示部３と、刺激制御部４と、脳波計測部５と、結果出力部２３と、を備えている（図１参照）。分析装置２は、脳波解析システム２０と、判定部２１と、記憶部２２と、を備えている。また、視認性評価システム１は、自動車の運転座席を模擬した座席８１と、自動車のハンドルを模擬したハンドル部８２と、模擬視環境９０を表示する表示部９と、を更に備える（図２参照）。なお、視認性評価システム１において、刺激提示部３、脳波計測部５、座席８１、ハンドル部８２、及び表示部９は、必須の構成ではない。
【００３０】
視認性評価システム１では、被験者１００が座席８１に着座しハンドル部８２を操作可能な状態で、表示部９に表示された模擬視環境９０、及び刺激提示部３の視対象３１を見る。つまり、視認性評価システム１では、被験者１００が自動車の運転中と同様の姿勢のときの被験者１００の視認性を評価することができる。
【００３１】
表示部９は、スクリーン９１と、投影部９２と、を備える。表示部９では、スクリーン９１の表面側において、スクリーン９１から離れて配置された投影部９２から投影された映像（模擬視環境９０）がスクリーン９１の表面に表示される。投影部９２は、スクリーン９１の表面からなる投影面（表示面）に映像を投影するように構成されている。投影部９２は、例えば、プロジェクタである。投影部９２は、スクリーン９１の表面を投影面として、スクリーン９１の表面に映像を投影する。
【００３２】
本実施形態の視認性評価システム１では、模擬視環境９０は、自動車の運転座席に着座した運転者が前方を向いた状態で自動車の運転中に見える視環境（自動車の前方）を、カメラで撮影して生成された映像である。本実施形態では、視環境は、夜間に自動車のヘッドライト（前照灯）を点灯させた状態で自動車が道路上を走行しているときに運転者に見える環境である。したがって、模擬視環境９０は、自動車のヘッドライトで自動車の前方を照らした状況を再現した映像である。ここでいう映像は、動画である。視認性評価システム１では、表示部９は、模擬視環境９０を映像として表示する。
【００３３】
映像は、撮像画像そのものに限らず、例えば、撮像画像を画像処理した画像でもよいし、撮像画像をもとに作成したＣＧ（Computer Graphics）画像でもよい。例えば、夜間にはカメラで撮像された画像は暗くなるので、撮像画像に基づく画像は、カメラで撮像された画像に対して明るさ補正を行った画像でもよい。また、撮像画像に基づく画像は、カメラで撮像された画像から障害物を抽出し、障害物を示すＣＧ（Computer Graphics）画像を撮像画像に重畳した画像でもよい。
【００３４】
表示部９が表示する映像には、被験者１００に注視させる注視点９３が重畳されている。注視点９３は、表示部９に表示される模擬視環境９０の左右方向の中心付近に表示される。注視点９３の位置は、模擬視環境９０として表示される映像における道路の形状等に応じて変更されてもよい。例えば、道路が左側にカーブしている場合には、注視点９３が模擬視環境９０の左右方向の中心よりも左側に偏って表示されてもよい。
【００３５】
刺激提示部３は、被験者１００に視覚刺激を提示するように構成されている。刺激提示部３は、被験者１００の周辺視野領域Ａ２に配置されている（図３参照）。「周辺視野領域Ａ２」とは、人の視野領域のうち、人の視線軸Ｄ１を中心として定まる中心視野領域Ａ１以外の３次元の領域をいう。中心視野領域Ａ１は、被験者１００の視線軸Ｄ１を軸とした円錐を想定したときに、その円錐の側面と視線軸Ｄ１がなす一定の角度によって囲まれた３次元の領域として定義できる。この一定の角度は、例えば、約１０度である。一例として、「周辺視野領域Ａ２」とは、視線軸Ｄ１を中心にした約２０度の範囲（中心視野領域Ａ１）から外れた上下１３０度、左右１８０度の領域を指している。したがって、被験者１００の視角２０度以内の領域を中心視野領域Ａ１とする。中心視野領域Ａ１以外の領域（上下方向のそれぞれについて、視線軸Ｄ１を中心とした２０度以上〜１３０度以下、左右方向のそれぞれについて、視線軸Ｄ１を中心とした２０度以上〜１８０度以下の領域）を周辺視野領域Ａ２とすることができる。被験者１００において、周辺視は、中心視と比較して、解像度及び色彩判別能力が劣るが、暗所での感受性が高い。そのため、視認性評価において、周辺視野領域に刺激提示部３を配置することにより、視認性評価における評価環境の条件（視覚刺激の強さ等）の差が表れやすくなる。
【００３６】
本実施形態の視認性評価システム１では、刺激提示部３を２つ備えている。２つの刺激提示部３は、表示部９（スクリーン９１）の左右両側それぞれに１つずつ配置されている。なお、刺激提示部３の数は、２つに限らず、１つであってもよいし、３つ以上であってもよい。例えば、刺激提示部３が１つの場合、表示部９の左右片側に配置される。また、刺激提示部３が３つの場合、表示部９の左右両側それぞれに１つずつ配置され、表示部９の左右片側にもう１つ配置される。
【００３７】
刺激提示部３は、円板状の提示部材３０を有する（図４Ａ、図４Ｂ参照）。提示部材３０は、視対象３１と、視対象３１を囲んでおり視対象３１よりも反射率の低い背景部３２と、視対象３１が設けられた提示面３０１と反対側であり視対象３１よりも反射率の低い背景面３０２と、を含んでいる。提示部材３０は、被験者１００に視覚刺激を提示する視対象３１が設けられた提示面３０１と、視対象３１よりも反射率の低い背景面３０２と、を択一的に被験者１００に提示するように構成されている。提示面３０１は、視対象３１と、背景部３２と、を含む。提示部材３０では、提示部材３０の厚さ方向において提示面３０１と背景面３０２とが互いに反対側にある。提示面３０１では、例えば、視対象３１の色が白色であり、背景部３２及び背景面３０２の色が黒色である。なお、提示部材３０の形状は、円板状に限らず、他の形状であってもよい。例えば、提示部材３０は、提示面３０１の形状が四角形であってもよいし、人を模した形状であってもよい。同様に、視対象３１の形状は、円形に限らず、他の形状であってもよい。例えば、視対象３１の形状が四角形であってもよいし、人を模した形状であってもよい。また、提示面３０１は、視対象３１のみで構成、つまり背景部３２が省略された構成であってもよい。
【００３８】
提示部材３０は、照明装置８３の光源によって光が照射される。照明装置８３は、被験者１００と提示部材３０との間に配置されている。本実施形態の視認性評価システム１では、被験者１００と２つの提示部材３０との間において、２つの照明装置８３が配置されている。照明装置８３は、自動車のヘッドライト（前照灯）を想定している。
【００３９】
刺激提示部３の提示部材３０が、視対象３１が設けられた提示面３０１を被験者１００に提示している場合、背景面３０２を被験者１００に提示している場合に比べて、照明装置８３の照明光を反射した光（反射光）の光量が多くなる。被験者１００は、視対象３１の反射光を視認することができる。視対象３１は、照明装置８３からの照射光を反射した反射光を、視覚刺激として提示する。つまり、刺激提示部３の視対象３１は、照明装置８３の光源からの照射光を反射することにより被験者１００に視覚刺激を提示する。提示部材３０が提示面３０１を被験者１００に提示している状態が、刺激提示部３における刺激提示状態である。提示部材３０が背景面３０２を提示している状態が、刺激提示部３における刺激非提示状態である。
【００４０】
刺激提示部３は、提示部材３０を駆動する駆動部を更に備えている。駆動部は、例えば、上下方向に沿った回転軸３３を回転させることにより、回転軸３３の先端に設けられた提示部材３０を回転させるように構成されている。駆動部は、例えば、モータ等の電気駆動型のアクチュエータである。駆動部は、提示部材３０の向きを物理的に変更することにより、提示面３０１と背景面３０２とを択一的に被験者１００に提示させる。なお、刺激提示部３が、提示面３０１と背景面３０２とを択一的に被験者１００に提示する方法は、上記方法に限らない。例えば、提示面３０１を提示面部材に設け、背景面３０２を提示面部材とは別の背景面部材に設け、提示面部材を背景面部材の裏側（背景面部材に対して被験者１００と反対側）に配置する。そして、提示面部材と背景面部材との少なくとも一方が移動することにより、提示面部材が背景面部材と重なるように隠された状態（刺激非提示状態）と、提示面部材が被験者１００から視認できるように背景面部材から露出した状態（刺激提示状態）と、に切り替えられる。また、刺激提示部３は、提示部材３０の回転によって、提示面３０１と背景面３０２とを択一的に被験者１００に提示する構成に限らない。刺激提示部３は、提示面３０１が提示された提示部材３０を被験者１００の視野領域の外側から周辺視野領域Ａ２（図３参照）内に移動させることにより、被験者１００に視覚刺激を提示するように構成されていてもよい。
【００４１】
刺激制御部４は、刺激提示部３を制御する制御装置である。刺激制御部４は、刺激提示部３を制御することにより、刺激提示部３の状態を刺激提示状態と刺激非提示状態とに切り替える。具体的には、刺激制御部４は、駆動部に対して制御信号を出力し、駆動部により回転軸３３及び提示部材３０を回転させることにより、刺激提示部３の状態を刺激提示状態と刺激非提示状態とに切り替える。視認性評価システム１では、刺激制御部４は、被験者１００の視認性を評価する際に、被験者１００に視覚刺激を複数回繰り返し提示するように刺激提示部３を制御する。つまり、刺激制御部４は、刺激提示部３の状態が、刺激提示状態と刺激非提示状態とを繰り返すように刺激提示部３を制御することにより、被験者１００に視覚刺激を複数繰り返し提示させる。
【００４２】
視認性評価システム１では、刺激提示部３が視覚刺激の提示を開始してから、次の視覚刺激の提示を開始するまでの期間を評価期間という。つまり、評価期間は、刺激提示部３の状態が刺激非提示状態から刺激提示状態に切り替わってから、刺激非提示状態に切り替わった後、再び刺激提示状態に切り替わるまでの期間である。したがって、視認性評価システム１では、複数の評価期間があり、各評価期間の開始時において被験者１００に視覚刺激が提示される。
【００４３】
刺激制御部４は、２つの刺激提示部３を個別に制御することができる。例えば、刺激制御部４は、一方の刺激提示部３を刺激提示状態とし、他方の刺激提示部３を刺激非提示状態とすることができる。
【００４４】
刺激制御部４は、刺激提示部３の状態が刺激非提示状態から刺激提示状態に切り替わったタイミングを示すデータ（タイミングデータ）を分析装置２に出力する。言い換えれば、タイミングデータは、刺激提示部３が視覚刺激の提示を開始したタイミングを示すデータである。例えば、刺激制御部４は、刺激提示部３の状態が刺激提示状態であるか刺激非提示状態であるかを示す状態信号を分析装置２に出力することにより、タイミングデータを分析装置２に出力する。刺激制御部４は、刺激提示部３に視覚刺激を複数繰り返し提示させるので、複数のタイミングデータを出力することとなる。刺激制御部４は、刺激提示部３の状態が刺激非提示状態から刺激提示状態に切り替わったタイミングで、パルス信号を分析装置２に出力することにより、タイミングデータを分析装置２に出力するように構成されていてもよい。
【００４５】
脳波計測部５は、被験者１００の脳波を計測する。脳波計測部５は、例えば、脳波計である。脳波計測部５は、基準電極、接地電極、及び複数の導出電極を含む複数の電極５１を有している。複数の電極５１は、例えば、国際１０−２０法に基づいて、被験者１００の頭部に配置される。例えば、基準電極がＡ１（右耳朶）に配置され、接地電極が前額部に配置される。また、複数の導出電極は、それぞれ国際１０−２０法に基づいた複数の計測部位に配置される。複数の計測部位には、特定部位と、複数の他部位とが含まれている。特定部位は、被験者１００が視対象３１を認識した際に脳波に反応が比較的顕著に現れる部位である。本実施形態では、Ｐｚ（正中頭頂）を特定部位とする。複数の他部位は、複数の計測部位のうち特定部位とは異なる部位である。複数の他部位は、例えば、Ｆｐ１，Ｆｐ２（前頭極）、Ｆ７，Ｆ３，Ｆｚ，Ｆ４，Ｆ８（前頭部）、Ｃ３，Ｃｚ，Ｃ４（中心部）、Ｐ７，Ｐ３，Ｐ４，Ｐ８（頭頂部）、Ｏ１，Ｏｚ，Ｏ２（後頭部）、Ｔ７，Ｔ８（側頭部）等である。なお、特定部位は、Ｐｚとは異なる部位であってもよい。複数の他部位には、拡張１０−２０法に基づいたＡＦ３，ＡＦ４（前前頭部）、ＦＣ５，ＦＣ１，ＦＣ２，ＦＣ６（前頭−中心部）、ＣＰ５，ＣＰ１，ＣＰ２，ＣＰ６（中心−頭頂部）、ＰＯ３，ＰＯ４（頭頂−後頭部）等が含まれていてもよい。また、複数の他部位には、上記とは異なる部位が含まれていてもよい。
【００４６】
本実施形態では、脳波計測部５は、一例として、１６個の測定チャンネルｃｈ０〜ｃｈ１５を有しており、被験者１００における１６箇所の計測部位の脳波を測定する。測定チャンネルｃｈ０は、特定部位に対応し、測定チャンネルｃｈ１〜ｃｈ１５は、それぞれ複数の他部位に対応する。なお、脳波計測部５が脳波を計測する部位（計測部位）の数（測定チャンネルの数）は、１６個に限らない。
【００４７】
脳波計は、ヘッドマウント式脳波計であってもよい。また、脳波計測部５は、ノイズを低減するために、バンドパスフィルタを備えている。バンドパスフィルタの通過帯域は、例えば、０．０５〜３０Ｈｚである。
【００４８】
脳波計測部５は、被験者１００の複数の計測部位における脳波の計測結果として複数の脳波信号を分析装置２に出力する。複数の計測部位と複数の脳波信号とは、一対一に対応している。各脳波信号には、複数の計測データが含まれている。複数の計測データは、複数の評価期間と一対一に対応している。各計測データは、対応する評価期間における被験者１００の脳波の計測結果である。言い換えれば、複数の計測データは、複数の視覚刺激と一対一に対応している。各計測データは、対応する視覚刺激を被験者１００が認識した際の脳波の計測結果である。
【００４９】
視認性評価システム１は、分析装置２と、結果出力部２３と、を備えている。
【００５０】
分析装置２は、脳波解析システム２０、判定部２１、及び記憶部２２を備えている。
【００５１】
脳波解析システム２０は、プロセッサ及びメモリを主構成とするコンピュータシステム（例えばマイクロコントローラ）である。脳波解析システム２０は、メモリに格納されているプログラムをプロセッサで実行することにより、脳波信号取得部２０１、タイミング情報取得部２０２、処理部２０３、脳波データ取得部２０４、相関算出部２０５、選択部２０６、位相補正部２０７、レベル補正部２０８、脳波データ算出部２０９、解析部２１０、及び出力部２１１としての機能を実現する。プログラムは、メモリに予め記録されていてもよいし、インターネット等の電気通信回線を通して提供されてもよく、メモリカード等の記録媒体に記録されて提供されてもよい。
【００５２】
記憶部２２は、例えば、フラッシュメモリ等の半導体メモリ、ハードディスク等の記憶装置である。記憶部２２には、刺激制御部４から出力されたタイミングデータ、及び脳波計測部５から出力された複数の脳波信号のデータが記憶される。記憶部２２は、分析装置２に対して着脱可能なメモリカードであってもよい。また、記憶部２２は、分析装置２の筐体とは別の筐体に設けられていてもよいし、分析装置２と通信可能なサーバ（クラウドを含む）に設けられていてもよい。
【００５３】
脳波信号取得部２０１は、複数の計測部位と一対一に対応する複数の脳波信号を取得する。具体的には、脳波信号取得部２０１は、記憶部に記憶されている複数の脳波信号のデータを取得する。つまり、脳波信号取得部２０１は、記憶部を介して、脳波計測部５が計測した複数の脳波信号を取得する。また、脳波信号取得部２０１は、脳波信号のノイズを低減するために、バンドパスフィルタを備えていてもよい。バンドパスフィルタの通過帯域は、例えば１〜６Ｈｚである。
【００５４】
タイミング情報取得部２０２は、被験者１００に対する複数回の刺激提示のタイミングの情報（タイミングデータ）を取得する。具体的には、タイミング情報取得部２０２は、記憶部２２に記憶されているタイミングデータを取得する。つまり、タイミング情報取得部２０２は、記憶部２２を介して、刺激提示部３の状態が刺激非提示状態から刺激提示状態に切り替わったタイミングを示すタイミングデータを取得する。
【００５５】
処理部２０３は、複数の計測部位（複数の測定チャンネル）ごとに、複数の計測データを加算平均した複数の一次脳波データを算出する。具体的には、処理部２０３は、脳波信号取得部２０１が取得した各脳波信号を、タイミング情報取得部２０２が取得したタイミングデータに基づいて時間的に区切ることにより、複数の計測データを抽出する。つまり、処理部２０３は、複数の計測部位（複数の測定チャンネル）に対応する複数の脳波信号の各々から、複数の計測データを抽出する。したがって、１つの計測部位は、複数の計測データと対応する。
【００５６】
処理部２０３は、複数の計測部位ごとに、対応する複数の計測データを加算平均することにより、複数の一次脳波データを算出する。つまり、複数の一次脳波データは、被験者１００の頭部における特定部位と複数の他部位とを含む複数の計測部位それぞれにおいて被験者１００の脳波を複数回計測した複数の計測データを、複数の計測部位ごとに加算平均することによって算出されるデータである。
【００５７】
複数の計測部位と複数の一次脳波データとは、一対一に対応する。複数の一次脳波データのうち、特定部位に対応する一次脳波データを特定一次脳波データとする。複数の一次脳波データのうち、他部位に対応する一次脳波データを他一次脳波データとする。つまり、複数の一次脳波データは、特定一次脳波データと、複数の他一次脳波データと、を含む。
【００５８】
処理部２０３は、算出した複数の一次脳波データを、脳波データ取得部２０４に出力する。
【００５９】
脳波データ取得部２０４は、処理部２０３が算出した複数の一次脳波データを取得する。
【００６０】
相関算出部２０５は、脳波データ取得部２０４が取得した複数の一次脳波データのうち、特定一次脳波データと、複数の他一次脳波データそれぞれとの相互相関関数を算出する。そして、相関関数算出部は、各相互相関関数から相関係数最大値、及び位相ずれを抽出する。ここでは、一例として、相関算出部２０５が、特定一次脳波データＢ１と、複数の一次脳波データのうち１つの他一次脳波データＢ２と用いて相互相関関数Ｄ３を算出し、相関係数最大値Ｍ１及び位相ずれＴ１を抽出する処理について説明する（図５Ａ、及び図５Ｂ参照）。
【００６１】
図５Ａは、特定一次脳波データＢ１と、他一次脳波データＢ２と、の一例のグラフである。図５Ｂは、特定一次脳波データＢ１と他一次脳波データＢ２との相互相関関数Ｄ３のグラフである。なお、図５Ａでは、縦軸（振幅）における下側が正極性（＋）であり、縦軸（振幅）における上側が負極性（−）である。
【００６２】
相関算出部２０５は、特定一次脳波データＢ１と他一次脳波データＢ２とに対して所定の演算処理を行うことにより相互相関関数Ｄ３を算出する。相互相関関数Ｄ３とは、特定一次脳波データＢ１と他一次脳波データＢ２とを時間軸方向にずらした際の相関係数の値である。図５Ｂにおいて、相互相関関数Ｄ３のグラフは、特定一次脳波データＢ１における極大値Ｐ３００が出現した時点を、基準点（時間“０”）としている。そして、相関算出部２０５は、相互相関関数Ｄ３から相関係数最大値Ｍ１、及び位相ずれＴ１を抽出する。
【００６３】
相関係数最大値Ｍ１とは、相互相関関数Ｄ３の極大値である。したがって、相関係数最大値Ｍ１は、特定一次脳波データＢ１の極大値Ｐ３００と、他一次脳波データＢ２の極大値と、の相関係数に相当する。
【００６４】
位相ずれＴ１とは、相互相関関数Ｄ３の基準点（時間“０”）と、相関係数最大値Ｍ１（相互相関関数Ｄ３の極大値）との時間差である。したがって、位相ずれＴ１は、特定一次脳波データＢ１の極大値Ｐ３００と、他一次脳波データＢ２の極大値と、の時間差に相当する。
【００６５】
相関算出部２０５は、複数の一次脳波データの各々と、特定一次脳波データと、の相互相関関数を算出し、相関係数最大値及び位相ずれを抽出する。つまり、相関算出部２０５は、複数の他部位（測定チャンネルｃｈ１〜ｃｈ１５）に対応する複数の相互相関関数を算出する。そして、相互相関関数は、複数の相互相関関数の各々から相関係数最大値及び位相ずれを抽出する（表１参照）。表１は、複数の他部位（測定チャンネルｃｈ１〜ｃｈ１５）に対応する複数の相互相関関数それぞれの相関係数最大値及び位相ずれの一例を示している。また、本実施形態では、相関算出部２０５は、特定部位（測定チャンネルｃｈ０）に対応する特定一次脳波データ同士の相互相関関数を算出し、相関係数最大値及び位相ずれを算出している。特定一次脳波データ同士の相互相関関数は自己相関関数となるので、相関係数最大値が“１”、位相ずれが“０”となる。なお、特定一次脳波データ同士の相互相関関数の算出は、必須ではない。
【００６６】
【表１】
2020032116.tif 000003
【００６７】
選択部２０６は、相関算出部２０５が算出した複数の相互相関関数に基づいて、複数の他一次脳波データから少なくとも１つの他一次脳波データを選択一次脳波データとして選択する。具体的には、選択部２０６は、複数の相互相関関数（特定一次脳波データの自己相関関数を除く）における、相関係数最大値及び位相ずれに基づいて、選択一次脳波データを選択する。
【００６８】
選択部２０６は、位相ずれが閾値（例えば５０ｍｓ）未満の相互相関関数に対応する他一次脳波データを選択一次脳波データの選択候補として抽出する。具体的には、位相ずれの絶対値が閾値未満の相互相関関数に対応する他一次脳波データを選択一次脳波データの選択候補として抽出する。表１の例では、選択部２０６は、測定チャンネルｃｈ３，ｃｈ６，ｃｈ７に対応する３つの他一次脳波データを、選択一次脳波データの候補から除外する。位相ずれが比較的高い場合、刺激提示部３による視覚刺激とは異なる刺激の反応である可能性が高い。そのため、選択部２０６は、選択一次脳波データの選択候補から、位相ずれが閾値以上の相互相関関数に対応する他一次脳波データを除外する。
【００６９】
選択部２０６は、選択一次脳波データの選択候補のうち、相関係数最大値が上位の５つの他一次脳波データを、選択一次脳波データとして選択する。表１の例では、選択部２０６は、測定チャンネルｃｈ１，ｃｈ９，ｃｈ１２，ｃｈ１３，ｃｈ１４に対応する５つの他一次脳波データを、選択一次脳波データとして選択する。
【００７０】
位相補正部２０７は、選択一次脳波データに対応する相互相関関数の位相ずれに基づいて、選択一次脳波データの位相を補正する。具体的には、位相補正部２０７は、位相ずれが“０”となるように、選択一次脳波データ（他一次脳波データ）の位相を補正する（図６参照）。図６において、破線は、位相補正前の他一次脳波データのグラフであり、実線は、位相補正後の他一次脳波データのグラフである。ここでは、一例として、測定チャンネルｃｈ１に対応する選択一次脳波データ（他一次脳波データ）の位相の補正について説明する。測定チャンネルｃｈ１に対応する相互相関関数の位置ずれは、“−３９ｍｓ”である（表１参照）。この場合、位相補正部２０７は、測定チャンネルｃｈ１に対応する選択一次脳波データ（他一次脳波データ）の位相を“＋３９ｍｓ”に補正する。位相補正部２０７は、他の選択一次脳波データについても、同様に位相を補正する。
【００７１】
レベル補正部２０８は、選択一次脳波データに対応する相互相関関数の極大値（相関係数最大値）に基づいて、選択一次脳波データのレベル（振幅値）を補正する。具体的には、レベル補正部２０８は、選択一次脳波データに対応する相互相関関数の極大値と、複数の他一次脳波データに対応する複数の相互相関関数における極大値の平均値と、に基づいて、補正係数（重み）を算出する。そして、レベル補正部２０８は、選択一次脳波データに補正係数を乗算することにより、選択一次脳波データのレベルを補正する（図７参照）。図７において、破線は、レベル補正前の他一次脳波データのグラフであり、実線は、レベル補正後の他一次脳波データのグラフである。ここでは、一例として、測定チャンネルｃｈ１に対応する選択一次脳波データ（他一次脳波データ）のレベルの補正について説明する。測定チャンネルｃｈ１に対応する相互相関関数の極大値（相関係数最大値Ｍ１０）は、“０．９３７”である（表１参照）。また、測定チャンネルｃｈ１〜ｃｈ１５に対応する相関係数最大値の平均値Ｍａ１は、“０．９２４”である。下記式（１）に示すように、レベル補正部２０８は、測定チャンネルｃｈ１に対応する相関係数最大値Ｍ１０から、測定チャンネルｃｈ１〜ｃｈ１５に対応する相関係数最大値の平均値Ｍａ１を減算し、“１”を足すことにより、補正係数Ｆ１０を算出する。
【００７２】
Ｆ１０＝１＋（Ｍ１０−Ｍａ１）
＝１＋（０．９３７−０．９２４）＝１．０１３    …（１）
レベル補正部２０８は、算出した補正係数Ｆ１０を、測定チャンネルｃｈ１に対応する選択一次脳波データ（他一次脳波データ）に乗算することにより、選択一次脳波データのレベルを補正する。本実施形態では、レベル補正部２０８は、位相補正部２０７による位相補正後の選択一次脳波データのレベルを補正する。レベル補正部２０８は、他の選択一次脳波データについても、同様にレベルを補正する。
【００７３】
なお、上述した補正係数の算出は、一例であって、異なる演算によって補正係数を算出してもよい。また、補正係数の算出に用いる相関係数最大値の平均値は、複数の他一次脳波データの全てではなく、選択一次脳波データのみに対応する相関係数最大値の平均値であってもよい。
【００７４】
脳波データ算出部２０９は、特定一次脳波データと、選択一次脳波データとを加算平均することによって、二次脳波データを算出する。具体的には、脳波データ算出部２０９は、特定一次脳波データと、位相補正部２０７による位相補正後かつレベル補正部２０８によるレベル補正後の複数（本実施形態では５つ）の選択一次脳波データと、を加算平均することによって、二次脳波データを算出する。
【００７５】
解析部２１０は、脳波データ算出部２０９で算出された二次脳波データから事象関連電位に関する特徴量を抽出する。事象関連電位に関する特徴量は、例えば、事象関連電位の振幅、及び事象関連電位のＰ３００の潜時である。
【００７６】
出力部２１１は、脳波データ算出部２０９で算出された二次脳波データ、解析部２１０で抽出された特徴量の情報を含む脳波情報を出力する。
【００７７】
判定部２１は、脳波解析システム２０の出力部２１１から出力された脳波情報に基づいて、被験者１００の視認性を判定する。具体的には、判定部２１は、脳波情報に含まれている事象関連電位の潜時に基づいて、被験者１００の視認性を判定する。判定部２１は、潜時が短いほど視認性が高いと判定し、潜時が長いほど視認性が低いと判定する。判定部２１は、判定結果を結果出力部２３へ出力する。
【００７８】
結果出力部２３は、例えば、画像と音声との少なくとも一方を出力可能な機器である。画像は液晶表示装置、ＯＬＥＤ（Organic Light Emitting Diode）ディスプレイ等の表示装置を利用して出力される。音声は、スピーカを用いて出力される。結果出力部２３は、判定部２１で判定された結果を画像と音声との少なくとも一方によって出力する。これにより、被験者１００、あるいは視認性評価システム１の管理者は、被験者１００の視認性の評価結果を確認することができる。
【００７９】
（３）動作例
脳波解析システム２０及び視認性評価システム１の動作例について図８を参照して説明する。
【００８０】
まず、刺激制御部４が刺激提示部３から被験者１００に視覚刺激を提示させ、脳波計測部５が、被験者１００の複数の計測部位における脳波を測定する（計測ステップＳ１）。記憶部２２が、刺激制御部４から出力されたタイミングデータ、及び脳波計測部５から出力された複数の脳波信号のデータを記憶する。
【００８１】
次に、処理部２０３において、脳波信号取得部２０１が取得した各脳波信号を、タイミング情報取得部２０２が取得したタイミングデータに基づいて時間的に区切ることにより複数の計測データを抽出する（前処理ステップＳ２）。また、前処理ステップＳ２では、処理部２０３が、複数の計測データを、複数の計測部位ごとに加算平均した複数の一次脳波データを算出する。複数の一次脳波データは、被験者１００の頭部における特定部位と複数の他部位とを含む複数の計測部位それぞれにおいて被験者１００の脳波を複数回計測した複数の計測データを、複数の計測部位ごとに加算平均したデータである。
【００８２】
次に、脳波データ取得部２０４部において、処理部２０３が算出した複数の一次脳波データを取得する（脳波データ取得ステップＳ３）。
【００８３】
次に、相関算出部２０５において、複数の一次脳波データのうち、特定部位に対応する特定一次脳波データと、複数の他部位に対応する複数の他一次脳波データそれぞれとの相互相関関数を算出する（相関算出ステップＳ４）。また、相関算出ステップＳ４では、相関算出部２０５が、各相互相関関数から極大値（相関係数最大値）、及び位相ずれを抽出する。
【００８４】
次に、選択部２０６において、相互相関関数に基づいて、複数の他一次脳波データから少なくとも１つの他一次脳波データを選択一次脳波データとして選択する（選択ステップＳ５）。本実施形態では、選択部２０６は、各相互相関関数の相関係数最大値、位相ずれに基づいて、選択一次脳波データを選択する。
【００８５】
次に、位相補正部２０７において、選択一次脳波データに対応する相互相関関数の位相ずれに基づいて、位相ずれが“０”となるように選択一次脳波データの位相を補正する（補正ステップＳ６）。また、補正ステップＳ６では、レベル補正部２０８において、選択一次脳波データに対応する相互相関関数の極大値（相関係数最大値）に基づいて、相関係数を算出して選択一次脳波データのレベルを補正する。
【００８６】
次に、脳波データ算出部２０９において、特定一次脳波データと、選択一次脳波データと、を加算平均することによって、二次脳波データを算出する（脳波データ算出ステップＳ７）。本実施形態では、脳波データ算出部２０９は、特定一次脳波データと、位相補正後かつレベル補正後の選択一次脳波データと、加算平均することによって、二次脳波データを算出する。
【００８７】
次に、解析部２１０において、二次脳波データから事象関連電位に関する特徴量を抽出する（解析ステップＳ８）。解析部２１０は、二次脳波データから、事象関連電位の特徴量として、Ｐ３００の潜時及び振幅を解析する。
【００８８】
次に、出力部２１１が、脳波データ算出部２０９で算出された二次脳波データ、解析部２１０で抽出された特徴量の情報を含む脳波情報を出力する（出力ステップＳ９）。
【００８９】
次に、判定部２１が、出力部２１１から出力された脳波情報に含まれている事象関連電位の潜時に基づいて、被験者１００の視認性を判定する（判定ステップＳ１０）。
【００９０】
次に、結果出力部２３が、判定部２１が判定された被験者１００の視認性の判定結果を、画像と音声との少なくとも一方によって出力する。
【００９１】
このように、本実施形態の脳波解析システム２０では、特定部位で測定した脳波（特定一次脳波データ）だけでなく、複数の他部位で測定した脳波（複数の他一次脳波データ）から選択した選択一次脳波データを用いて、二次脳波データを算出している。つまり、本実施形態の脳波解析システム２０では、複数の計測部位で測定した脳波に基づいて、二次脳波データを算出している。したがって、１つの計測部位のみで測定した脳波に基づいて二次脳波データを算出する場合に比べて、脳波の計測回数、つまり被験者１００に視覚刺激を提示する回数を低減することができる。これにより、被験者１００の脳波の測定時間の短縮を図ることができる。
【００９２】
また、脳波解析システム２０では、複数の他一次脳波データから、各相互相関関数の相関係数最大値、及び位相ずれに基づいて、選択一次脳波データを選択している。したがって、複数の他一次脳波データから、特定一次脳波データとの相関が比較的低い他一次脳波データが除外されて、選択一次脳波データが選択される。これにより、二次脳波データの精度の向上を図ることができる。
【００９３】
また、脳波解析システム２０では、選択一次脳波データに対応する相互相関関数の位相ずれ、及び相関係数最大値に基づいて、選択一次脳波データの位相、及びレベルを補正している。これにより、二次脳波データの精度の向上を図ることができる。
【００９４】
視認性評価システム１では、脳波解析システム２０の出力部２１１から出力された脳波情報に含まれている事象関連電位の潜時に基づいて、被験者１００の視認性を判定している。脳波解析システム２０における二次脳波データの精度が向上することによって、被験者１００の視認性の判定精度の向上を図ることができる。
【００９５】
（４）変形例
実施形態は、本開示の様々な実施形態の一つに過ぎない。実施形態は、本開示の目的を達成できれば、設計等に応じて種々の変更が可能である。
【００９６】
上述した例では、選択部２０６は、複数の他一次脳波データから、位相ずれが閾値未満であり、かつ相関係数最大値が上位の５つの他一次脳波データを選択一次脳波データとして選択していたが、これに限らない。選択部２０６が複数の他一次脳波データから選択する選択一次脳波データの数は、５つに限らず、１つ以上であればよい。例えば、選択部２０６は、複数の他一次脳波データから、相互相関関数に関する条件（位相ずれ、相関係数最大値など）を満たす１以上の他一次脳波データを、選択一次脳波データとして選択してもよい。また、選択部２０６は、相互相関関数に関する条件に基づいて、複数の他一次脳波データの全てを選択一次脳波データとして選択してもよい。
【００９７】
また、選択部２０６は、複数の他一次脳波データから、相互相関関数の極大値（相関係数最大値）が閾値以上の他一次脳波データを、選択一次脳波データとして選択してもよい。例えば、選択部２０６は、複数の他一次脳波データから、位相ずれが閾値（例えば５０ｍｓ）以下、かつ相関係数最大値が閾値（例えば０．９３０）以上の他一次脳波データを、選択一次脳波データとして選択してもよい。
【００９８】
本開示における脳波解析システム２０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における脳波解析システム２０としての機能が実現される。脳波解析システム２０としての機能とは、脳波信号取得部２０１、タイミング情報取得部２０２、処理部２０３、脳波データ取得部２０４、相関算出部２０５、選択部２０６、位相補正部２０７、レベル補正部２０８、脳波データ算出部２０９、及び出力部２１１それぞれの機能である。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００９９】
また、脳波解析システム２０における複数の機能が、１つの筐体内に集約されていることは脳波解析システム２０に必須の構成ではなく、脳波解析システム２０の構成要素は、複数の筐体に分散して設けられていてもよい。さらに、脳波解析システム２０の少なくとも一部の機能がクラウド（クラウドコンピューティング）等によって実現されてもよい。
【０１００】
本開示における視認性評価システム１は、脳波解析システム２０のコンピュータシステムを含んでいる。また、視認性評価システム１は、脳波解析システム２０とは別に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における視認性評価システム１の機能（判定部２１の機能）が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。視認性評価システム１の判定部２１は、脳波解析システム２０のコンピュータシステムがプログラムを実行することによって実現されてもよい。
【０１０１】
また、本実施形態では、脳波解析システム２０は、自動車（移動体）の運転に関する、被験者１００の視認性の評価に用いられているが、これに限らない。移動体は、鉄道、飛行機等であってもよい。また、脳波解析システム２０は、被験者１００の視認性の評価以外に用いられてもよい。
【０１０２】
（まとめ）
第１態様に係る脳波解析システム（２０）は、脳波データ取得部（２０４）と、相関算出部（２０５）と、選択部（２０６）と、脳波データ算出部（２０９）と、出力部（２１１）と、を備えている。脳波データ取得部（２０４）は、被験者（１００）の頭部における特定部位と複数の他部位とを含む複数の計測部位それぞれにおいて被験者（１００）の脳波を複数回計測した複数の計測データを、複数の計測部位ごとに加算平均した複数の一次脳波データを取得する。相関算出部（２０５）は、複数の一次脳波データのうち、特定部位に対応する特定一次脳波データと、複数の他部位に対応する複数の他一次脳波データそれぞれとの相互相関関数を算出する。選択部（２０６）は、相互相関関数に基づいて、複数の他一次脳波データから少なくとも１つの他一次脳波データを選択一次脳波データとして選択する。脳波データ算出部（２０９）は、特定一次脳波データと、選択一次脳波データとを加算平均することによって二次脳波データを算出する。出力部（２１１）は、二次脳波データを含む脳波情報を出力する。
【０１０３】
この態様によれば、特定部位で測定した脳波（特定一次脳波データ）と、複数の他部位で測定した複数の脳波（複数の他一次脳波データ）のうち、相互相関関数に基づいて選択した選択一次脳波データとを用いて、二次脳波データを算出している。つまり、脳波解析システム（２０）では、複数の計測部位で測定した脳波に基づいて、二次脳波データを算出している。したがって、１つの計測部位（特定部位）のみで測定した脳波に基づいて二次脳波データを算出する場合に比べて、脳波の計測回数、つまり被験者（１００）に視覚刺激を提示する回数を低減することができる。これにより、被験者（１００）の脳波の測定時間の短縮を図ることができる。
【０１０４】
第２態様に係る脳波解析システム（２０）は、第１態様において、脳波信号取得部（２０１）と、タイミング情報取得部（２０２）と、処理部（２０３）と、を更に備えている。脳波信号取得部（２０１）は、複数の計測部位と一対一に対応する複数の脳波信号を取得する。タイミング情報取得部（２０２）は、被験者（１００）に対する複数回の刺激提示のタイミングの情報を取得する。処理部（２０３）は、複数の一次脳波データを算出して、脳波データ取得部（２０４）に出力する。複数回の刺激提示と、被験者（１００）の脳波の複数回の計測と、が一対一に対応している。処理部（２０３）は、複数回の刺激提示のタイミングの情報に基づいて複数の脳波信号それぞれから複数の計測データを抽出し、複数の計測部位ごとに抽出した複数の計測データを加算平均することにより複数の一次脳波データを算出する。
【０１０５】
この態様によれば、被験者（１００）の脳波の測定時間の短縮を図ることができる。
【０１０６】
第３態様に係る脳波解析システム（２０）では、第１又は第２態様において、選択部（２０６）は、複数の他一次脳波データのうち、対応する相互相関関数の極大値が閾値以上の他一次脳波データを選択一次脳波データとして選択する。
【０１０７】
この態様によれば、特定一次脳波データと相関が比較的高い他一次脳波データが選択一次脳波データとして選択されるので、二次脳波データの精度の向上を図ることができる。
【０１０８】
第４態様に係る脳波解析システム（２０）では、第１〜第３態様のいずれかにおいて、選択部（２０６）は、複数の他一次脳波データのうち、対応する前記相互相関関数の位相ずれが閾値未満の他一次脳波データを選択一次脳波データとして選択する。
【０１０９】
この態様によれば、特定一次脳波データと相関が比較的高い他一次脳波データが選択一次脳波データとして選択されるので、二次脳波データの精度の向上を図ることができる。
【０１１０】
第５態様に係る脳波解析システム（２０）は、第１〜第４態様のいずれかにおいて、位相補正部（２０７）を更に備えている。位相補正部（２０７）は、選択一次脳波データに対応する相互相関関数の位相ずれに基づいて、選択一次脳波データの位相を補正する。脳波データ算出部（２０９）は、特定一次脳波データと、位相補正部（２０７）による位相補正後の選択一次脳波データとを加算平均することによって二次脳波データを算出する。
【０１１１】
この態様によれば、選択一次脳波データの位相が補正されるので、二次脳波データの精度の向上を図ることができる。
【０１１２】
第６態様に係る脳波解析システム（２０）は、第１〜第５態様のいずれかにおいて、レベル補正部（２０８）を更に備えている。レベル補正部（２０８）は、選択一次脳波データに対応する相互相関関数の極大値に基づいて、選択一次脳波データのレベルを補正する。脳波データ算出部（２０９）は、特定一次脳波データと、レベル補正部（２０８）によるレベル補正後の選択一次脳波データとを加算平均することによって前記二次脳波データを算出する。
【０１１３】
この態様によれば、選択一次脳波データのレベルが補正されるので、二次脳波データの精度の向上を図ることができる。
【０１１４】
第７態様に係る脳波解析システム（２０）は、第１〜第６態様のいずれかにおいて、解析部（２１０）を更に備えている。解析部（２１０）は、脳波データ算出部（２０９）で算出された二次脳波データから事象関連電位に関する特徴量を抽出する。出力部（２１１）から出力する脳波情報は、解析部（２１０）で解析された特徴量の情報を含む。
【０１１５】
この態様によれば、事象関連電位に関する特徴量を出力することが可能となる。
【０１１６】
第８態様に係る視認性評価システム（１）は、第１〜第７態様のいずれかの脳波解析システム（２０）と、判定部（２１）と、結果出力部（２３）と、を備えている。判定部（２１）は、脳波解析システム（２０）の出力部（２１１）から出力された脳波情報に基づいて被験者（１００）の視認性を判定する。結果出力部（２３）は、判定部（２１）で判定された結果を出力する。
【０１１７】
この態様によれば、被験者（１００）の脳波の測定時間の短縮を図ることができる。
【０１１８】
第９態様に係る視認性評価システム（１）では、第８態様において、判定部（２１）は、脳波情報に基づく事象関連電位の潜時から被験者（１００）の視認性を判定する。
【０１１９】
この態様によれば、潜時の長さによって被験者（１００）の視認性を判定することが可能となる。
【０１２０】
第１０態様に係る脳波解析方法は、脳波データ取得ステップ（Ｓ３）と、相関算出ステップ（Ｓ４）と、選択ステップ（Ｓ５）と、脳波データ算出ステップ（Ｓ７）と、出力ステップ（Ｓ９）と、を含む。脳波データ取得ステップ（Ｓ３）では、複数の一次脳波データを取得する。複数の一次脳波データは、被験者（１００）の頭部における特定部位と複数の他部位とを含む複数の計測部位それぞれにおいて前記被験者（１００）の脳波を複数回計測した複数の計測データを、前記複数の計測部位ごとに加算平均したデータである。相関算出ステップ（Ｓ４）では、複数の一次脳波データのうち、特定部位に対応する特定一次脳波データと、複数の他部位に対応する複数の他一次脳波データそれぞれとの相互相関関数を算出する。選択ステップ（Ｓ５）では、相互相関関数に基づいて、複数の他一次脳波データから少なくとも１つの他一次脳波データを選択一次脳波データとして選択する。脳波データ算出ステップ（Ｓ７）では、特定一次脳波データと、選択一次脳波データとを加算平均することによって二次脳波データを算出する。出力ステップ（Ｓ９）では、二次脳波データを含む脳波情報を出力する。
【０１２１】
この態様によれば、被験者（１００）の脳波の測定時間の短縮を図ることができる。
【０１２２】
第１１態様に係るプログラムは、コンピュータシステムに第１０態様に係る脳波解析方法を実行させる。
【０１２３】
この態様によれば、被験者（１００）の脳波の測定時間の短縮を図ることができる。
【符号の説明】
【０１２４】
１  視認性評価システム
２０  脳波解析システム
２０１  脳波信号取得部
２０２  タイミング情報取得部
２０３  処理部
２０４  脳波データ取得部
２０５  相関算出部
２０６  選択部
２０７  位相補正部
２０８  レベル補正部
２０９  脳波データ算出部
２１０  解析部
２１１  出力部
２１  判定部
２３  結果出力部
１００  被験者
Ｓ３  脳波データ取得ステップ
Ｓ４  相関算出ステップ
Ｓ５  選択ステップ
Ｓ７  脳波データ算出ステップ
Ｓ９  出力ステップ
【図１】
2020032116.tif 000004
【図２】
2020032116.tif 000005
【図３】
2020032116.tif 000006
【図４】
2020032116.tif 000007
【図５】
2020032116.tif 000008
【図６】
2020032116.tif 000009
【図７】
2020032116.tif 000010
【図８】
2020032116.tif 000011